(57)【特許請求の範囲】
【請求項１】
扉体に設けられ、解錠位置と施錠位置との間を動作して前記扉体を施解錠する錠部を備えた電気錠と、扉枠に設けられ、前記錠部を受ける受け座とからなる電気錠装置であって、
前記扉体の前記扉枠に対する開閉状態を検知する開閉検知部を設けるとともに、
前記電気錠及び前記受け座に、前記扉体が閉状態にある場合にのみ通電可能となり、前記受け座を介して前記電気錠へ電源供給するための接点部を設け、
さらに、前記電気錠に、前記解錠位置にある前記錠部を検出可能な解錠検出部と、前記錠部を動作可能な補助電源と、前記扉体が開状態にあり、且つ、前記錠部が前記解錠位置にない場合、前記錠部が前記解錠位置に位置するまで前記補助電源により前記錠部を解錠方向へ動作させる制御部とを設けたことを特徴とする電気錠装置。
【請求項２】
前記開閉検知部が、前記電気錠に設けられ、前記受け座を介しての電源供給の有無により前記扉体の開閉状態を検知することを特徴とする請求項１に記載の電気錠装置。
【発明の詳細な説明】
【技術分野】
【０００１】
本発明は、電気錠を自動的に施錠動作させるための電気錠装置に関するものである。
【背景技術】
【０００２】
従来、扉体に当該扉体を施解錠するための錠部を有する電気錠を、扉枠に錠部を受ける受け座を夫々設けてなる電気錠装置としては、たとえば特許文献１に開示されるような電気錠装置が知られている。特許文献１に開示されている電気錠装置にあっては、受け座側の外部に電源を設けるとともに、電気錠及び受け座に、扉体が扉枠に対して閉状態となった場合にのみ通電可能となる接点部を設け、扉体を閉塞させると、受け座を介して電気錠へ電源供給され、電気錠の錠部が施錠動作するようになっている。尚、解錠させる際には、手動による解錠操作にて行う。
【０００３】
【特許文献１】特開平６−１０５４５号公報
【発明の開示】
【発明が解決しようとする課題】
【０００４】
ここで、扉体を一旦閉じた後、施錠動作が開始するまでに再び扉体を開放することは、比較的よく見受けられることである。このとき、施錠動作開始のタイミングと再び扉体を開放するタイミングとが重なり、錠部が惰性等によって扉体の側面から受け座側へ突出してしまうといった事態が起こり得る。しかしながら、特許文献１の電気錠装置では、扉体が開状態にあると電気錠へは電源供給されないため、錠部が突出した状態のままとなる。したがって、再び扉体を閉塞するためには、一々手動による解錠操作を行わなければならず、煩わしいといった問題があった。
【０００５】
そこで、本発明は、上記問題に鑑みなされたものであって、扉体の開放に伴って錠部が扉体から突出してしまった場合等であっても、当該錠部を自動的に施錠動作開始前の状態に復帰させる（すなわち、解錠動作させる）ことが可能な電気錠装置を提供しようとするものである。
【課題を解決するための手段】
【０００６】
上記目的を達成するために、本発明のうち請求項１に記載の発明は、扉体に設けられ、解錠位置と施錠位置との間を動作して扉体を施解錠する錠部を備えた電気錠と、扉枠に設けられ、錠部を受ける受け座とからなる電気錠装置であって、扉体の扉枠に対する開閉状態を検知する開閉検知部を設けるとともに、電気錠及び受け座に、扉体が閉状態にある場合にのみ通電可能となり、受け座を介して電気錠へ電源供給するための接点部を設け、さらに、電気錠に、解錠位置にある錠部を検出可能な解錠検出部と、錠部を動作可能な補助電源と、扉体が開状態にあり、且つ、錠部が解錠位置にない場合、錠部が解錠位置に位置するまで補助電源により錠部を解錠方向へ動作させる制御部とを設けたことを特徴とするものである。
請求項１に記載の発明によれば、電気錠に、解錠位置にある錠部を検出可能な解錠検出部と、錠部を動作可能な補助電源と、扉体が開状態にあり、且つ、錠部が解錠位置にない場合、錠部が解錠位置に位置するまで補助電源により錠部を解錠方向へ動作させる制御部とを設けており、制御部が、扉体の開放を検知すると錠部の位置の確認を行い、所定の解錠位置にない場合には、解錠位置に位置するまで錠部を解錠動作させる。したがって、錠部の施錠動作開始とともに扉体が開放され、錠部が扉体よりも受け座側へ突出してしまうといった事態や、手動による解錠操作により錠部が完全には解錠位置に位置しない状態で扉体が開放されるといった事態が起こったとしても、従来の如く一々手動による解錠操作を行う必要がなく、使い勝手が良い。
【０００７】
請求項２に記載の発明は、請求項１に記載の発明において、開閉検知部が、電気錠に設けられ、受け座を介しての電源供給の有無により扉体の開閉状態を検知することを特徴とするものである。
請求項２に記載の発明によれば、開閉検知部が、電気錠に設けられ、受け座を介しての電源供給の有無により扉体の開閉状態を検知するため、扉枠や扉体に、扉体の開閉を検知するための別途部材を設ける必要がなく、設置作業や配線作業の簡略化、構成の合理化等を図ることができる。
【発明の効果】
【０００８】
本発明によれば、電気錠に、解錠位置にある錠部を検出可能な解錠検出部と、錠部を動作可能な補助電源と、扉体が開状態にあり、且つ、錠部が解錠位置にない場合、錠部が解錠位置に位置するまで補助電源により錠部を解錠方向へ動作させる制御部とを設けており、制御部が、扉体の開放を検知すると錠部の位置の確認を行い、所定の解錠位置にない場合には、解錠位置に位置するまで錠部を解錠動作させる。したがって、錠部の施錠動作開始とともに扉体が開放され、錠部が扉体よりも受け座側へ突出してしまうといった事態等が起こったとしても、従来の如く一々手動による解錠操作を行う必要がなく、使い勝手が良い。
【発明を実施するための最良の形態】
【０００９】
以下、本発明の一実施形態となる電気錠装置について、図面をもとに説明する。
【００１０】
図１は、電気錠装置１の構造を示した説明図である。
電気錠装置１は、扉枠２に対して扉体３を施解錠するためのものであって、扉枠２に取り付けられる受け座４と、扉体３に取り付けられる電気錠５とからなる。受け座４は、後述する電気錠５の錠部６が嵌入可能な錠孔部７を有する金型部材であって、扉枠４の室内側で開口縁に取り付けられている。また、受け座４には、接点部を構成する一対の枠電極８、８が備えられており、当該枠電極８、８は、主電源線９を介して図示しない外部電源に接続されている。
【００１１】
一方、電気錠５は、扉体３を施解錠するための錠部６と、当該錠部６の施解錠動作を制御するための制御部１０と、扉体３の閉塞時に枠電極８、８と接触して制御部１０への外部電源からの電源供給を可能とするための扉電極１１、１１と、扉電極１１、１１と枠電極８、８との接触／非接触、すなわち外部電源からの電源供給の有無を検出するための通電検出部１２と、制御部１０へ電源供給可能に接続された充電可能な補助電源１３とを備えてなり、扉体３の室内側の受け座４と対向する位置に取り付けられている。錠部６は、所定の施錠位置と所定の解錠位置との間を移動可能に設けられた閂体であって、施錠位置にあっては、その先端が扉体３側面よりも側方へ突出して錠孔部７内へ嵌入可能となる一方、解錠位置にあっては、その先端が扉体３側面よりも扉体３側へ引っ込む（すなわち、扉体３側面よりも側方へ突出しない）ようになっている。また、錠部６は、施錠検出センサ１４により施錠位置にあることを、解錠検出センサ１５により解錠位置にあることを制御部１０にて検出可能とされている。
【００１２】
制御部１０は、図示しないＣＰＵ等を内蔵したものであって、通電検出部１２と電気的に接続され、通電検出部１２による通電の有無の検出にもとづいて扉体３の開閉状態を判断する。すなわち、通電検出部１２により通電が検出されると、枠電極８、８と扉電極１１、１１とが接触状態にあることから、扉体３が閉塞された（閉状態にある）と判断する。一方、通電検出部１２により通電の検出が遮断されると、枠電極８、８と扉電極１１、１１とが非接触状態にあることから、扉体３が開放された（開状態にある）と判断する。
【００１３】
また、制御部１０は、扉体３の閉塞を検知すると、図示しないタイマによる計時動作を開始し、閉塞を検知してから所定時間（たとえば、３０秒）の経過をもって、錠部６を施錠動作させる。そして、施錠検出センサ１４による検出をもって施錠完了と判断し、当該施錠動作を終了する。尚、上記所定時間経過前に扉体３の開放を検知すると、タイマをクリアする。また、補助電源１３の充電は、当該扉体３の閉塞状態において行われる。
【００１４】
さらに、制御部１０は、扉体３の開放を検知すると、補助電源１３の電力を利用して錠部６の位置を確認する。通常、扉体３を開放する際、錠部６は解錠位置にあるため、解錠検出センサ１５による検出を確認すると、当該確認動作は終了となり、補助電源１３からの電源供給を遮断する。しかしながら、制御部１０による錠部６の上記施錠動作開始とともに扉体３が開放されるといった事態や、手動による解錠操作により錠部６が完全には解錠位置に位置しない状態で扉体３が開放されるといった事態も起こり得る。この場合、施錠動作による惰性によって錠部６が扉体３側面よりも側方へ突出する等しているため、制御部１０が扉体３の開放検知に伴って錠部６の位置を確認する際、解錠検出センサ１５により検出されることはない。したがって、当該確認動作において解錠検出センサ１５による検出が確認されない場合、制御部１０は、補助電源１３の電力を利用して錠部６を解錠動作させる。そして、解錠検出センサ１５による検出をもって解錠完了と判断し、当該解錠動作を終了するとともに、補助電源１３からの電源供給を遮断する。
【００１５】
以上のように構成される電気錠装置１によれば、電気錠５に設けられた制御部１０が、扉体３の開放を検知する度に錠部６の位置の確認を行い、所定の解錠位置にない場合には、解錠位置に位置するまで錠部６を解錠動作させる。したがって、錠部６の施錠動作開始とともに扉体３が開放され、錠部６が扉体３から側方へ突出してしまうといった事態や、手動による解錠操作により錠部６が完全には解錠位置に位置しない状態で扉体３が開放されるといった事態が起こったとしても、従来の如く一々手動による解錠操作を行う必要がなく、使い勝手が良い。
【００１６】
また、電気錠５に通電検出部１２を設け、当該通電検出部１２による通電の有無、すなわち外部電源からの電源供給の有無を検出可能とし、当該電源供給の有無にもとづいて扉体３の開閉状態を検知可能としている。扉枠２や扉体３に、扉体３の開閉を検知するための別途部材を設ける必要がなく、設置作業や配線作業の簡略化、構成の合理化等を図ることができる。
【００１７】
なお、本発明の電気錠装置に係る構成は、上記実施形態に記載の態様に何ら限定されるものではなく、扉体３の開閉検知等に係る構成を、本発明の趣旨を逸脱しない範囲で、必要に応じて適宜変更することができる。
【００１８】
たとえば、上記実施形態では、電気錠５に通電検出部１２を設け、当該通電検出部１２による通電の有無の検出にもとづいて扉体３の開閉状態を検知可能としているが、図２に示す如き構成としてもよい。図２に示す電気錠装置１ａにあっては、扉枠２に設けられたマグネット２１と、扉体３に設けられ、マグネット２１の近接／離隔によりＯＮ／ＯＦＦ操作されるマグネットスイッチ２２とにより、扉体３の開閉状態を検知可能としている。尚、マグネットスイッチ２２は電気錠５ａと接続されており、マグネットスイッチ２２のＯＮ／ＯＦＦ操作は電気錠５ａにより検出される。また、扉体３の開閉検知に伴う錠部６の施解錠動作に係る制御は、上記実施形態と同様である。さらに、２３は、扉体３のヒンジ部である。
【００１９】
また、上記実施形態では、扉体３の開放を検知する度に解錠検出センサ１５による錠部６の位置確認を行うように構成しているが、制御部１０において錠部６の施錠動作開始に伴って立てられる施錠フラグを設定し、当該施錠フラグが立っている場合にのみ錠部６の位置確認を行う（すなわち、扉体３の閉塞後、所定時間経過前に扉体３が再び開放された場合には錠部６の位置確認を行わない）ように構成することも可能である。
さらに、扉体３を開放した際に解錠検出センサ１５による検出をもって補助電源１３による電源供給を遮断するのではなく、扉体３の開放中は、補助電源１３の電力を利用して錠部６が解錠位置で位置を保持されるよう動作するように構成しても何ら問題はない。
加えて、電源供給のための接点部を、枠電極８と扉電極１１とによる機械的な接触を行う接点部とするのではなく、機械的には接触しない無接点充電方式等に採用される接点部、すなわち電気的にのみ接触／遮断される接点部としても何ら問題はないし、受け座４や電気錠５、５ａの設置位置や設置態様についても埋め込み式にする等適宜変更可能であることは言うまでもない。
【図面の簡単な説明】
【００２０】
【図１】電気錠装置の構造を示した説明図である。
【図２】電気錠装置の変更例を示した説明図である。
【符号の説明】
【００２１】
１・・電気錠装置、２・・扉枠、３・・扉体、４・・受け座、５・・電気錠、６・・錠部、７・・錠孔部、８・・枠電極（接点部）、９・・主電源線、１０・・制御部、１１・・扉電極（接点部）、１２・・通電検出部（開閉検知部）、１３・・補助電源、１４・・施錠検出センサ、１５・・解錠検出センサ（解錠検出部）、２１・・マグネット（開閉検知部）、２２・・マグネットスイッチ（開閉検知部）。
【図１】
0005026935.tif 000002
【図２】
0005026935.tif 000003